(57)【要約】【課題】  出版業務の効率化を実現する。【解決手段】  管理サーバ１１０であって、サプライヤにより提供されるコンテンツが対応付けられたブロックが配置された、出版物の各ページの構成を示す台割情報を格納する台割情報格納部１１３と、前記出版物の各ページを出力する印刷制御部１１０３と、を有し、印刷制御部１１０３は、所定のサプライヤが指定された印刷要求を受信した場合に、該指定されたサプライヤにより提供されたコンテンツが対応付けられたブロックに、該指定されたサプライヤにより提供されたコンテンツが挿入されたページを出力することを特徴とする。【選択図】図１１
2017167825.tif 000002
【特許請求の範囲】
【請求項１】
サプライヤにより提供されるコンテンツが対応付けられたブロックが配置された、出版物の各ページの構成を示す情報を格納する格納手段と、
前記出版物の各ページを出力する印刷制御手段と、を有し、
前記印刷制御手段は、所定のサプライヤが指定された印刷要求を受信した場合に、該指定されたサプライヤにより提供されたコンテンツが対応付けられたブロックに、該指定されたサプライヤにより提供されたコンテンツが挿入されたページを出力することを特徴とする管理サーバ。
【請求項２】
前記印刷制御手段は、
前記指定されたサプライヤを示す情報を含む、前記出版物の各ページを特定するための二次元コードを付して出力することを特徴とする請求項１に記載の管理サーバ。
【請求項３】
前記印刷制御手段が前記二次元コードを付して出力することで画像処理装置により印刷されたシートを、スキャンすることで得られたスキャンデータを受信し、受信した該スキャンデータに含まれる前記二次元コードを解析することで抽出した情報に基づいて、該スキャンデータのファイル名を決定するデータ処理手段を更に有することを特徴とする請求項２に記載の管理サーバ。
【請求項４】
前記データ処理手段は、決定した前記ファイル名に応じた格納先に、前記スキャンデータを格納することを特徴とする請求項３に記載の管理サーバ。
【請求項５】
サプライヤにより提供されるコンテンツが対応付けられたブロックが配置された、出版物の各ページの構成を示す情報を格納する格納手段と、
前記出版物の各ページのうち、指定されたページを出力する印刷制御手段と、を有し、
前記印刷制御手段は、前記指定されたページに配置されたブロックのうちの所定のブロックにコンテンツが挿入される場合、該所定のブロックに対応付けられたコンテンツを提供するサプライヤを示す情報を付して出力することを特徴とする管理サーバ。
【請求項６】
管理サーバと画像処理装置とを有する管理システムであって、
前記管理サーバは、
サプライヤにより提供されるコンテンツが対応付けられたブロックが配置された、出版物の各ページの構成を示す情報を格納する格納手段と、
前記出版物の各ページを印刷するよう前記画像処理装置を制御する印刷制御手段と、を有し、
前記印刷制御手段は、前記画像処理装置より所定のサプライヤが指定された印刷要求を受信した場合に、該指定されたサプライヤにより提供されたコンテンツが対応付けられたブロックに、該指定されたサプライヤにより提供されたコンテンツが挿入されたページを印刷するよう、前記画像処理装置を制御することを特徴とする管理システム。
【請求項７】
サプライヤにより提供されるコンテンツが対応付けられたブロックが配置された、出版物の各ページの構成を示す情報を格納する格納工程と、
前記出版物の各ページを出力する印刷制御工程と、をコンピュータに実行させるためのプログラムであって、
前記印刷制御工程は、所定のサプライヤが指定された印刷要求を受信した場合に、該指定されたサプライヤにより提供されたコンテンツが対応付けられたブロックに、該指定されたサプライヤにより提供されたコンテンツが挿入されたページを出力することを特徴とするプログラム。
【発明の詳細な説明】
【技術分野】
【０００１】
本発明は、管理サーバ、管理システム及びプログラムに関する。
【背景技術】
【０００２】
一般に、出版物等の発行に際しては、当該出版物を構成する各ページのデータが生成された後、原稿印刷、校正（赤入れ）、校正済み原稿の収集、データの修正等の作業が繰り返し行われるため、工程管理が煩雑である。このため、出版社等では、従来より、管理システムを用いて各工程における作業を管理している。
【０００３】
ここで、出版社等が扱う出版物のうち、カタログやパンフレット、雑誌等のように、複数のサプライヤにより提供される情報（コンテンツ）が掲載される出版物の場合、校正（赤入れ）作業には、出版社と各サプライヤの両方が携わることになる。このため、出版社では、自社が校正作業を行う際に用いる原稿と各サプライヤが校正作業を行う際に用いる原稿とをわけて印刷する必要がある。
【０００４】
例えば、出版社では、各サプライヤより提供されたコンテンツが全て掲載された原稿について、校正作業を行う。このため、自社用として、各サプライヤより提供されたコンテンツが全て掲載された原稿を全ページ印刷する。一方で、各サプライヤは、当該サプライヤが提供したコンテンツが掲載されたページ（ページの一部の領域にのみ当該サプライヤのコンテンツが掲載されている場合にあっては、当該領域のみが印刷されたページ）について、校正作業を行う。このため、出版社では、各サプライヤ用として、当該サプライヤが提供したコンテンツのみが掲載されたページからなる原稿を印刷する。
【発明の概要】
【発明が解決しようとする課題】
【０００５】
しかしながら、従来の管理システムでは、印刷するページ、領域等を、手動で設定して原稿を印刷する必要があった。このため、原稿印刷における出版社の作業負荷が高いという問題があった。また、同一ページについて複数の原稿が印刷されるため、例えば、校正された原稿を収集する際の出版社による原稿管理の作業負荷が高いという問題もあった。このようなことから、出版物等の発行に際しては、各工程における出版社の作業負荷を低減し、業務の効率化を図ることが求められている。
【０００６】
本発明は上記課題に鑑みてなされたものであり、出版業務の効率化を実現することを目的とする。
【課題を解決するための手段】
【０００７】
本発明の実施形態に係る管理サーバは、例えば、以下のような構成を有する。すなわち、
サプライヤにより提供されるコンテンツが対応付けられたブロックが配置された、出版物の各ページの構成を示す情報を格納する格納手段と、
前記出版物の各ページを出力する印刷制御手段と、を有し、
前記印刷制御手段は、所定のサプライヤが指定された印刷要求を受信した場合に、該指定されたサプライヤにより提供されたコンテンツが対応付けられたブロックに、該指定されたサプライヤにより提供されたコンテンツが挿入されたページを出力することを特徴とする。
【発明の効果】
【０００８】
本発明の各実施形態によれば、出版業務の効率化を実現できる。
【図面の簡単な説明】
【０００９】
【図１】出版業務管理システムのシステム構成の一例を示す図である。
【図２】出版業務管理システムを用いた出版業務のうち、原稿作成工程の流れを示すシーケンス図である。
【図３】出版業務管理システムを用いた出版業務のうち、校正工程の流れを示すシーケンス図である。
【図４】出版業務管理システムを用いた出版業務のうち、承認工程の流れを示すシーケンス図である。
【図５】画像処理装置の画面例を示す図である。
【図６】管理サーバのハードウェア構成の一例を示す図である。
【図７】管理情報格納部に格納される管理情報の一例を示す図である。
【図８】台割情報格納部に格納される台割情報の一例を示す図である。
【図９】台割情報にて管理される各ページのページデータを模式的に示した図である。
【図１０】台割情報格納部に格納される属性情報の一例を示す図である。
【図１１】管理サーバの機能構成の一例を示す図である。
【図１２】出版社用の校正用原稿に含まれる各シートの一例を示す図である。
【図１３】サプライヤ用の校正用原稿に含まれるシートの一例を示す図である。
【図１４】校正済みの出版社用の校正用原稿をスキャンすることで取得されるスキャンデータを説明するための図である。
【図１５】校正済みのサプライヤ用の校正用原稿をスキャンすることで取得されるスキャンデータを説明するための図である。
【図１６】登録・更新処理の流れを示すフローチャートである。
【図１７】印刷制御処理（一覧情報提供処理）の流れを示すフローチャートである。
【図１８】印刷制御処理（シート出力処理）の流れを示すフローチャートである。
【図１９】スキャン制御処理（スキャンデータ生成処理）の流れを示すフローチャートである。
【図２０】スキャン制御処理（スキャンデータ格納処理）の流れを示すフローチャートである。
【図２１】情報端末において実行される処理を説明するための図である。
【図２２】管理サーバの他の機能構成の一例を示す図である。
【図２３】課金処理の概要を説明するための図である。
【発明を実施するための形態】
【００１０】
以下、本発明の各実施形態について添付の図面を参照しながら説明する。なお、各実施形態に係る明細書及び図面の記載に際して、実質的に同一の機能構成を有する構成要素については、同一の符号を付することにより重複した説明を省く。
【００１１】
［第１の実施形態］
＜１．出版業務管理システムの構成＞
はじめに、本発明の一実施形態に係る出版業務管理システムの全体構成について説明する。図１は、出版業務管理システムのシステム構成の一例を示す図である。
【００１２】
図１に示すように、出版業務管理システム１００は、管理サーバ１１０と、出版社１２０の情報端末１２１及び画像処理装置１２２と、印刷会社１３０の情報端末１３１とを有する。出版業務管理システム１００において、管理サーバ１１０と、情報端末１２１及び画像処理装置１２２とは、ネットワーク１７０を介して通信可能に接続されている。また、出版業務管理システム１００において、管理サーバ１１０と情報端末１３１とは、ネットワーク１７０を介して通信可能に接続されている。
【００１３】
管理サーバ１１０は、出版業務管理プログラムがインストールされたサーバ装置であり、当該プログラムが実行されることで、管理サーバ１１０は、出版業務管理部１１１として機能する。
【００１４】
出版業務管理部１１１は、出版物を発行するまでの各工程の作業を管理する。出版業務管理部１１１は、各工程の作業の進捗情報を管理情報格納部１１２に記録することで、各工程の作業を管理する。
【００１５】
また、出版業務管理部１１１は、出版物に掲載されるコンテンツが挿入される「ブロック」の配置を含む、出版物の各ページの構成を示す「台割情報」を管理する。出版業務管理部１１１では、出版社１２０において台割情報が生成されると、生成された台割情報を受信して台割情報格納部１１３に格納する。また、出版業務管理部１１１は、各ページに配置されたブロックに挿入されるコンテンツの属性を示す属性情報もあわせて管理する。出版業務管理部１１１では、出版社１２０において属性情報が生成されると、生成された属性情報を受信して台割情報格納部１１３に格納する。
【００１６】
また、出版業務管理部１１１は、サプライヤにより出版物に掲載するコンテンツが提供され、印刷会社１３０において組版が行われることで生成された組版データを管理する。また、出版業務管理部１１１は、校正結果に基づいて印刷会社１３０により組版データが修正された場合、修正後の組版データもあわせて管理する。出版業務管理部１１１では、印刷会社１３０により生成または修正された組版データを受信して、組版データ格納部１１４に格納する。
【００１７】
また、出版業務管理部１１１は、情報端末１２１または画像処理装置１２２により入力された、出版物に掲載される各種データを取得し、入力データ格納部１１５に格納する。なお、入力データ格納部１１５に格納される各種データには、サプライヤにより提供されたコンテンツのコンテンツデータ、出版社において生成されたページデータ、校正済みの原稿をスキャンしたスキャンデータ等が含まれる。
【００１８】
また、出版業務管理部１１１は、画像処理装置１２２から印刷要求を受信すると、組版データ格納部１１４に格納された組版データに基づいて、校正用原稿データまたは承認用原稿データを生成して、画像処理装置１２２に送信する。印刷要求において所定のサプライヤが指定されていた場合、出版業務管理部１１１では、指定されたサプライヤと対応付けられたブロックに、該指定されたサプライヤにより提供されたコンテンツが挿入された校正用原稿データまたは承認用原稿データを生成する。これにより、出版業務管理部１１１では、所定のサプライヤ用の校正用原稿データまたは承認用原稿データを画像処理装置１２２に送信することができる。
【００１９】
なお、図１の例では、管理サーバ１１０は、出版社１２０、印刷会社１３０の外部に設置され、独立して出版業務管理サービスを提供するものとして示しているが、管理サーバ１１０は、出版社１２０あるいは印刷会社１３０により保有されていてもよい。
【００２０】
印刷会社１３０において、組版オペレータ１３２は、情報端末１３１を用いて管理サーバ１１０の入力データ格納部１１５に格納された各種データを読み出す。また、組版オペレータ１３２は、読み出した各種データに基づいて組版作業（または修正作業）を行うことで、組版データを生成（または生成した組版データを修正）する。更に、組版オペレータ１３２は、生成（または修正）した組版データを、情報端末１３１を介して管理サーバ１１０に送信する。
【００２１】
出版社１２０において、編集者１２４は、情報端末１２１を用いて台割情報を生成する。情報端末１２１は、生成された台割情報を管理サーバ１１０に送信する。また、情報端末１２１は、編集者１２４により台割情報が修正された場合には、修正後の台割情報を管理サーバ１１０に送信する。
【００２２】
また、出版社１２０において、編集者１２４は、情報端末１２１を用いてページデータ１２５を生成する。ページデータとは、出版物の各ページを構成するデータであり、所定のテンプレートを用いて生成される。なお、テンプレートとは、各ページに含まれるブロックの数、大きさ、位置、輪郭形状等が定義されたデータである。また、ブロックとは、サプライヤにより提供されるコンテンツが挿入される領域である。編集者１２４は、当該テンプレートに、各種情報を記載することで、ページデータ１２５を生成する。情報端末１２１は、生成されたページデータ１２５を管理サーバ１１０に送信する。
【００２３】
また、出版社１２０において、編集者１２４は、情報端末１２１を用いて各種作業の進捗情報を入力する。情報端末１２１は、編集者１２４により入力された、各種作業の進捗情報を管理サーバ１１０に送信する。
【００２４】
また、出版社１２０において、編集者１２４は、画像処理装置１２２を用いてスキャン作業と印刷作業とを行う。なお、出版社１２０の画像処理装置１２２は、スキャナ機能とプリント機能とを有しているものとする。編集者１２４は、画像処理装置１２２のスキャナ機能を利用して、第１のサプライヤ１４０〜第３のサプライヤ１６０から提供されるコンテンツ１４３、１５３、１６３をスキャンして、コンテンツデータを管理サーバ１１０に送信する。また、編集者１２４は、画像処理装置１２２のプリント機能を利用して、管理サーバ１１０から送信される校正用原稿データまたは承認用原稿データを印刷する。
【００２５】
画像処理装置１２２では、管理サーバ１１０に対して、出版社用、各サプライヤ用に分けて印刷要求を行うことができる。図１の例は、編集者１２４が、配布先として出版社及び各サプライヤを指定して印刷要求を行った場合を示している。かかる印刷要求を行うことで、画像処理装置１２２では、出版社用の校正用原稿１２６と、第１のサプライヤ１４０用の校正用原稿１２７、第２のサプライヤ１５０用の校正用原稿１２８、第３のサプライヤ１６０用の校正用原稿１２９を印刷する。
【００２６】
なお、出版社用の校正用原稿１２６には、ページデータ１２５に加え、第１のサプライヤ１４０〜第３のサプライヤ１６０により提供されたコンテンツ１４３、１５３、１６３が全て掲載されている。一方、第１のサプライヤ１４０用の校正用原稿１２７には、ページデータ１２５と、第１のサプライヤ１４０により提供されたコンテンツ１４３とが掲載されている。また、第２のサプライヤ１５０用の校正用原稿１２８には、ページデータ１２５と、第２のサプライヤ１５０により提供されたコンテンツ１５３とが掲載されている。更に、第３のサプライヤ１６０用の校正用原稿１２９には、ページデータ１２５と、第３のサプライヤ１６０により提供されたコンテンツ１６３とが掲載されている。
【００２７】
画像処理装置１２２により印刷された出版社用の校正用原稿１２６は、編集者１２４により校正される。一方、画像処理装置１２２により印刷された印刷結果（第１のサプライヤ１４０用の校正用原稿１２７〜第３のサプライヤ１６０用の校正用原稿１２９）は、それぞれ、編集者１２４により、第１のサプライヤ１４０〜第３のサプライヤ１６０に配布される。
【００２８】
第１のサプライヤ１４０において、生成者１４２は、情報端末１４１を用いてコンテンツ１４３を生成する。生成者１４２により生成されたコンテンツ１４３は、編集者１２４に送達される。また、生成者１４２は、編集者１２４により配布された印刷結果（校正用原稿１２７）を受け取り、校正を行う。
【００２９】
同様に、第２及び第３のサプライヤ１５０、１６０において、生成者１５２、１６２は、情報端末１５１、１６１を用いてコンテンツ１５３、１６３を生成する。生成者１５２、１６２により生成されたコンテンツ１５３、１６３は、編集者１２４に送達される。また、生成者１５２、１６２は、編集者１２４により配布された印刷結果（校正用原稿１２８、１２９）を受け取り、校正を行う。
【００３０】
このように、本実施形態に係る出版業務管理システム１００によれば、配布先を指定するだけで出版社用と各サプライヤ用とで異なる校正用原稿を印刷することができる。この結果、原稿印刷における出版社１２０の作業負荷を低減させることができる。
【００３１】
第１のサプライヤ１４０〜第３のサプライヤ１６０において校正された校正済みの校正用原稿１２７〜１２９は、編集者１２４により校正された校正済みの校正用原稿１２６とともに、出版社１２０の画像処理装置１２２によりスキャンされる。画像処理装置１２２によりスキャンされたスキャンデータは、管理サーバ１１０に送信される。校正作業を複数回行う場合には、以降、画像処理装置１２２が、校正用原稿の印刷と、校正済みの校正用原稿のスキャンとを繰り返す。
【００３２】
なお、図１の例では、校正用原稿を印刷する場合について示したが、承認用原稿を印刷する場合も同様である。
【００３３】
＜２．出版業務管理システムを用いた出版業務の流れ＞
次に、出版業務管理システム１００を用いた出版業務の流れについて説明する。出版業務管理システム１００を用いた出版業務には、原稿作成工程と、校正工程と、承認工程とが含まれる。以下、それぞれの工程について、図２〜図４を用いて説明する。
【００３４】
（１）原稿作成工程の流れ
図２は、出版業務管理システムを用いた出版業務のうち、原稿作成工程の流れを示すシーケンス図である。図２に示すように、ステップＳ２０１において、第１のサプライヤ１４０〜第３のサプライヤ１６０の生成者１４２、１５２、１６２は、出版物に掲載するコンテンツを生成する。
【００３５】
ステップＳ２０２において、生成者１４２、１５２、１６２は、生成したコンテンツを、出版社１２０の編集者１２４に送達する。ステップＳ２０３において、編集者１２４は、生成者１４２、１５２、１６２からそれぞれ送達されたコンテンツ１４３、１５３、１６３を受け取る。
【００３６】
ステップＳ２０４において、編集者１２４は、受け取ったコンテンツ１４３、１５３、１６３を画像処理装置１２２を用いてスキャンするスキャン作業を行う。編集者１２４によるスキャン作業により、画像処理装置１２２は、ステップＳ２０５においてスキャン処理を行い、コンテンツデータを生成する。また、画像処理装置１２２は、ステップＳ２０６において生成されたコンテンツデータを管理サーバ１１０に送信する。これにより、管理サーバ１１０の入力データ格納部１１５には、画像処理装置１２２より送信されたコンテンツデータが格納される。
【００３７】
ステップＳ２０７において、編集者１２４は、情報端末１２１を用いてページデータ１２５を生成する。また、ステップＳ２０８において、情報端末１２１は、生成されたページデータ１２５を管理サーバ１１０に送信する。これにより、管理サーバ１１０の入力データ格納部１１５には、情報端末１２１より送信されたページデータ１２５が格納される。
【００３８】
なお、情報端末１２１よりページデータ１２５が送信されることで、管理情報格納部１１２に格納された管理情報が更新される。
【００３９】
管理サーバ１１０の管理情報格納部１１２に格納された管理情報が更新されると、ステップＳ２０９において、印刷会社１３０の組版オペレータ１３２は、情報端末１３１を用いて管理サーバ１１０にアクセスする。これにより、組版オペレータ１３２は、入力データ格納部１１５より、コンテンツデータ及びページデータを読み出す。
【００４０】
ステップＳ２１０において、組版オペレータ１３２は、読み出したページデータ及びコンテンツデータを用いて組版作業を行い、組版データを生成する。ステップＳ２１１において、情報端末１３１は、生成された組版データを管理サーバ１１０に送信する。これにより、管理サーバ１１０の組版データ格納部１１４には、情報端末１３１より送信された組版データが格納される。
【００４１】
なお、情報端末１３１より組版データが送信されることで、管理情報格納部１１２に格納された管理情報が更新される。
【００４２】
（２）校正工程の流れ
図３は、出版業務管理システムを用いた出版業務のうち、校正工程の流れを示すシーケンス図である。組版データが送信されたことで管理サーバ１１０の管理情報格納部１１２に格納された管理情報が更新されると、図３に示すように、出版社１２０の編集者１２４は、ステップＳ３０１において印刷作業を行う。具体的には、編集者１２４は、画像処理装置１２２に対して、校正用原稿の配布先についての条件（出版社用かサプライヤ用か）を入力することで一覧要求を行う。
【００４３】
ステップＳ３０２において、画像処理装置１２２は、編集者１２４により入力された条件を含む一覧要求を管理サーバ１１０に送信する。これにより、管理サーバ１１０では、一覧要求に含まれる条件に応じた校正用原稿を印刷するための組版データを、組版データ格納部１１４より抽出する。
【００４４】
ステップＳ３０３において、管理サーバ１１０は、抽出した組版データのファイル名の一覧情報を画像処理装置１２２に送信する。画像処理装置１２２では、管理サーバ１１０より送信された一覧情報を表示し、編集者１２４は、表示された一覧情報の中から、印刷するページ範囲を指定して印刷要求を行う。
【００４５】
ステップＳ３０４において、画像処理装置１２２は、管理サーバ１１０に印刷要求を送信する。これにより、管理サーバ１１０では、抽出した組版データのうち受信した印刷要求に応じた組版データを用いて、校正用原稿データを生成する。なお、ここでは、編集者１２４が、出版社用の校正用原稿データについての印刷要求と、第１のサプライヤ〜第３のサプライヤ用の校正用原稿データについての印刷要求とを行ったとする。
【００４６】
ステップＳ３０５において、管理サーバ１１０は、出版社用の校正用原稿データを生成して画像処理装置１２２に送信する。また、ステップＳ３０６において、画像処理装置１２２は、出版社用の校正用原稿を印刷する。
【００４７】
ステップＳ３０７において、管理サーバ１１０は、第１のサプライヤ用の校正用原稿データを生成して画像処理装置１２２に送信する。また、ステップＳ３０８において、画像処理装置１２２は、第１のサプライヤ用の校正用原稿を印刷する。
【００４８】
ステップＳ３０９において、管理サーバ１１０は、第２のサプライヤ用の校正用原稿データを生成して画像処理装置１２２に送信する。また、ステップＳ３１０において、画像処理装置１２２は、第２のサプライヤ用の校正用原稿を印刷する。
【００４９】
ステップＳ３１１において、管理サーバ１１０は、第３のサプライヤ用の校正用原稿データを生成して画像処理装置１２２に送信する。また、ステップＳ３１２において、画像処理装置１２２は、第３のサプライヤ用の校正用原稿を印刷する。
【００５０】
ステップＳ３１３において、編集者１２４は、印刷された第１のサプライヤ〜第３のサプライヤ用の校正用原稿を、第１のサプライヤ１４０〜第３のサプライヤ１６０に配布する。
【００５１】
ステップＳ３１４において、編集者１２４は、情報端末１２１を用いて、第１のサプライヤ１４０〜第３のサプライヤ１６０に校正用原稿を配布したことを示す進捗情報を入力する。また、ステップＳ３１５において、情報端末１２１は、入力された進捗情報を管理サーバ１１０に送信する。これにより、管理情報格納部１１２の管理情報が更新される。
【００５２】
ステップＳ３１６において、編集者１２４は、出版社用の校正用原稿について校正を行う。ステップＳ３１７において、第１のサプライヤ１４０の生成者１４２は、第１のサプライヤ用の校正用原稿について校正を行う。また、第２のサプライヤ１５０の生成者１５２は、第２のサプライヤ用の校正用原稿について校正を行う。更に、第３のサプライヤ１６０の生成者１６２は、第３のサプライヤ用の校正用原稿について校正を行う。
【００５３】
ステップＳ３１８において、第１のサプライヤ１４０〜第３のサプライヤ１６０の生成者１４２、１５２、１６２は、校正済みの校正用原稿を、編集者１２４に送達する。また、ステップＳ３１９において、編集者１２４は、送達された校正済みの校正用原稿を受け取る。
【００５４】
ステップＳ３２０において、編集者１２４は、校正済みの校正用原稿を画像処理装置１２２を用いてスキャンするスキャン作業を行う。校正済みの校正用原稿には、第１のサプライヤ１４０〜第３のサプライヤ１６０の生成者１４２、１５２、１６２から受け取った校正済みの校正用原稿と、編集者１２４が校正した校正済みの校正用原稿とが含まれる。
【００５５】
ステップＳ３２１において、画像処理装置１２２は、スキャン処理を行い、スキャンデータを生成する。また、画像処理装置１２２は、ステップＳ３２２において、生成されたスキャンデータを管理サーバ１１０に送信する。これにより、管理サーバ１１０の入力データ格納部１１５には、画像処理装置１２２より送信されたスキャンデータが格納される。
【００５６】
なお、画像処理装置１２２よりスキャンデータが送信されることで、管理情報格納部１１２に格納された管理情報が更新される。
【００５７】
スキャンデータが送信されたことで管理サーバ１１０の管理情報格納部１１２に格納された管理情報が更新されると、ステップＳ３２３において、印刷会社１３０の組版オペレータ１３２は、情報端末１３１を用いて管理サーバ１１０にアクセスする。これにより、組版オペレータ１３２は、入力データ格納部１１５より、スキャンデータを読み出す。
【００５８】
ステップＳ３２４において、組版オペレータ１３２は、読み出したスキャンデータを用いて修正作業を行い、組版データを修正する。ステップＳ３２７において、情報端末１３１は、修正された組版データを管理サーバ１１０に送信する。これにより、管理サーバ１１０の組版データ格納部１１４には、情報端末１３１より送信された修正済みの組版データが格納される。
【００５９】
なお、情報端末１３１より、修正済みの組版データが送信されることで、管理情報格納部１１２に格納された管理情報が更新される。
【００６０】
（３）承認工程の流れ
図４は、出版業務管理システムを用いた出版業務のうち、承認工程の流れを示すシーケンス図である。修正済みの組版データが送信されたことで管理サーバ１１０の管理情報格納部１１２に格納された管理情報が更新されると、図４に示すように、出版社１２０の編集者１２４は、ステップＳ４０１において印刷作業を行う。具体的には、編集者１２４は、画像処理装置１２２に対して、承認用原稿の配布先についての条件（出版社用かサプライヤ用か）を入力することで一覧要求を行う。
【００６１】
ステップＳ４０２において、画像処理装置１２２は、編集者１２４により入力された条件を含む一覧要求を管理サーバ１１０に送信する。これにより、管理サーバ１１０では、一覧要求に含まれる条件に応じた承認用原稿を印刷するための組版データを、組版データ格納部１１４より抽出する。
【００６２】
ステップＳ４０３において、管理サーバ１１０は、抽出した組版データ（修正済みの組版データ）のファイル名の一覧情報を画像処理装置１２２に送信する。画像処理装置１２２では、管理サーバ１１０より送信された一覧情報を表示し、編集者１２４は、表示された一覧情報の中から、印刷するページ範囲を指定して印刷要求を行う。
【００６３】
ステップＳ４０４において、画像処理装置１２２は、管理サーバ１１０に印刷要求を送信する。これにより、管理サーバ１１０では、抽出した組版データのうち受信した印刷要求に応じた組版データを用いて、承認用原稿データを生成する。なお、ここでは、編集者１２４が、出版社用の承認用原稿データについての印刷要求と、第１のサプライヤ〜第３のサプライヤ用の承認用原稿データについての印刷要求とを行ったとする。
【００６４】
ステップＳ４０５において、管理サーバ１１０は、出版社用の承認用原稿データを生成して画像処理装置１２２に送信する。また、ステップＳ４０６において、画像処理装置１２２は、出版社用の承認用原稿を印刷する。
【００６５】
ステップＳ４０７において、管理サーバ１１０は、第１のサプライヤ用の承認用原稿データを生成して画像処理装置１２２に送信する。また、ステップＳ４０８において、画像処理装置１２２は、第１のサプライヤ用の承認用原稿を印刷する。
【００６６】
ステップＳ４０９において、管理サーバ１１０は、第２のサプライヤ用の承認用原稿データを生成して画像処理装置１２２に送信する。また、ステップＳ４１０において、画像処理装置１２２は、第２のサプライヤ用の承認用原稿を印刷する。
【００６７】
ステップＳ４１１において、管理サーバ１１０は、第３のサプライヤ用の承認用原稿データを生成して画像処理装置１２２に送信する。また、ステップＳ４１２において、画像処理装置１２２は、第３のサプライヤ用の承認用原稿を印刷する。
【００６８】
ステップＳ４１３において、編集者１２４は、印刷された第１のサプライヤ〜第３のサプライヤ用の承認用原稿を、第１のサプライヤ１４０〜第３のサプライヤ１６０に配布する。
【００６９】
ステップＳ４１４において、編集者１２４は、情報端末１２１を用いて、第１のサプライヤ１４０〜第３のサプライヤ１６０に承認用原稿を配布したことを示す進捗情報を入力する。また、ステップＳ４１５において、情報端末１２１は、入力された進捗情報を管理サーバ１１０に送信する。これにより、管理情報格納部１１２の管理情報が更新される。
【００７０】
ステップＳ４１６において、編集者１２４は、出版社用の承認用原稿について承認を行う。ステップＳ４１７において、第１のサプライヤ１４０の生成者１４２は、第１のサプライヤ用の承認用原稿について承認を行う。また、第２のサプライヤ１５０の生成者１５２は、第２のサプライヤ用の承認用原稿について承認を行う。更に、第３のサプライヤ１６０の生成者１６２は、第３のサプライヤ用の承認用原稿について承認を行う。
【００７１】
ステップＳ４１８において、第１のサプライヤ１４０〜第３のサプライヤ１６０の生成者１４２、１５２、１６２は、承認済みの承認用原稿を、編集者１２４に送達する。また、ステップＳ４１９において、編集者１２４は、送達された承認済みの承認用原稿を受け取る。
【００７２】
ステップＳ４２０において、編集者１２４は、情報端末１２１を用いて、承認作業が完了したことを示す進捗情報を入力する。また、ステップＳ４２１において、情報端末１２１は、入力された進捗情報を管理サーバ１１０に送信する。これにより、管理サーバ１１０の管理情報格納部１１２には、情報端末１２１より送信された進捗情報が格納され、校了となる。なお、校了すると、印刷会社１３０では、組版データ格納部１１４に格納されている修正済みの組版データに基づいて、商業用印刷を行い、出版物を発行する。
【００７３】
＜３．画像処理装置の説明＞
次に、上記出版業務において、編集者１２４が印刷作業を行う際に利用する画像処理装置１２２の画面例について説明する。図５は、画像処理装置の画面例を示す図である。編集者１２４が印刷作業を行うにあたり、画像処理装置１２２には、図５に示すように、一覧情報要求画面５１０、一覧情報表示画面５２０及び印刷要求画面５３０が表示される。
【００７４】
一覧情報要求画面５１０は、管理サーバ１１０に対して一覧要求を送信する際に表示される画面である。図５に示すように、一覧情報要求画面５１０は、冊子コードを入力する入力欄５１１、工程コードを入力する入力欄５１２を有する。編集者１２４は、出版物を特定する冊子コードと、校正工程か承認工程のいずれかの工程コードとを指定して入力することができる。
【００７５】
また、一覧情報要求画面５１０は、校正用原稿（または承認用原稿）の配布先（出版社かサプライヤか）を選択する選択欄５１３を有する。これにより、編集者１２４は、出版社用の校正用原稿または承認用原稿と、サプライヤ用の校正用原稿または承認用原稿のいずれかを選択することができる。
【００７６】
更に、一覧情報要求画面５１０は、サプライヤ用の校正用原稿または承認用原稿を選択した場合に、編集者１２４が所定のサプライヤを指定して入力するためのサプライヤコード入力欄５１４を有する。これにより、編集者１２４は、所定のサプライヤを指定することができる。
【００７７】
一覧情報表示画面５２０は、管理サーバ１１０に対して一覧要求を送信することで、管理サーバ１１０より送信される一覧情報を表示する。図５の例は、冊子コード＝ααにより特定される出版物についての校正用原稿を印刷するための、組版データのファイル名がページ番号と対応付けて一覧情報として表示された様子を示している。
【００７８】
印刷要求画面５３０は、編集者１２４が、一覧情報表示画面５２０に基づいてページ範囲を選択し、管理サーバ１１０に対して印刷要求を送信する際に用いる画面である。図５に示すように、印刷要求画面５３０は、ページ範囲が全ページか、指定ページかを選択する選択欄５３１を有する。これにより、編集者１２４は、冊子コード＝ααにより特定される出版物についての校正用原稿を、全ページ印刷させることも、指定したページ範囲のみ印刷させることもできる。なお、指定ページを選択した場合、編集者１２４は、具体的なページ範囲を入力するためのページ範囲入力欄５３２に、ページ範囲を入力して印刷要求を行う。
【００７９】
＜４．管理サーバの説明＞
次に、上記出版業務を実現するための管理サーバ１１０の詳細について説明する。
【００８０】
＜４．１  管理サーバのハードウェア構成＞
はじめに、管理サーバのハードウェア構成について説明する。図６は、管理サーバのハードウェア構成の一例を示す図である。
【００８１】
図６に示すように、管理サーバ１１０は、ＣＰＵ（Central Processing Unit）６０１、ＲＯＭ（Read Only Memory）６０２、ＲＡＭ（Random Access Memory）６０３、記憶部６０４を備える。更に、管理サーバ１１０は、通信部６０５、表示部６０６、操作部６０７を備える。なお、管理サーバ１１０の各部は、バス６０８を介して相互に接続されている。
【００８２】
ＣＰＵ６０１は、記憶部６０４に格納された各種プログラム（例えば、出版業務管理プログラム）を実行するコンピュータである。
【００８３】
ＲＯＭ６０２は不揮発性メモリである。ＲＯＭ６０２は、記憶部６０４に格納された各種プログラムを、ＣＰＵ６０１が実行するために必要な各種プログラム、データ等を格納する。具体的には、ＢＩＯＳ（Basic Input/Output System）やＥＦＩ（Extensible Firmware Interface）等のブートプログラムなどを格納する。
【００８４】
ＲＡＭ６０３は、ＤＲＡＭ（Dynamic Random Access Memory）やＳＲＡＭ（Static Random Access Memory）等の主記憶装置である。ＲＡＭ６０３は、記憶部６０４に格納された各種プログラムがＣＰＵ６０１によって実行される際に展開される、作業領域として機能する。
【００８５】
記憶部６０４は、ＣＰＵ６０１により実行される各種プログラムを格納する記録媒体である。また、記憶部６０４は、各種プログラムがＣＰＵ６０１により実行される際に利用される各種格納部（例えば、管理情報格納部１１２、台割情報格納部１１３、組版データ格納部１１４、入力データ格納部１１５）を実現する。
【００８６】
通信部６０５は、ネットワーク１７０を介して、情報端末１３１、情報端末１２１、画像処理装置１２２と通信を行う。
【００８７】
表示部６０６は、管理サーバ１１０が有する各種情報を表示する。操作部６０７は、管理サーバ１１０に各種情報を入力する際に用いられる。
【００８８】
＜４．２  管理サーバの各格納部に格納される情報の説明＞
次に、管理サーバ１１０の各格納部に格納される情報のうち、管理情報格納部１１２に格納される管理情報と、台割情報格納部１１３に格納される台割情報及び属性情報とについて説明する。
【００８９】
（１）管理情報の説明
図７は、管理情報格納部に格納される管理情報の一例を示す図である。図７に示すように、管理情報７００は、情報の項目として、"冊子コード"、"冊子名"、"編集者"、"台割"、"工程コード"、"作業管理"を含む。
【００９０】
"冊子コード"には、出版物を特定するためのコードが登録される。"冊子名"には、出版物の名称が登録される。"編集者"には、出版業務を担当する編集者１２４を識別する情報が登録される。
【００９１】
"台割"には、編集者１２４により生成された台割情報を特定する識別子が登録される。"工程コード"には、出版物を発行するまでの各工程を特定するためのコードが登録される。"作業管理"には、各工程における各種作業の進捗情報が記録される。図７の例では、出版物を発行するまでの各工程として、原稿作成工程と、校正工程と、承認工程の３種類があるため、"作業管理"には、第１の進捗情報と、第２の進捗情報と、第３の進捗情報が格納されている。
【００９２】
第１の進捗情報７１０は、情報の項目として、"作業名"と"作業者名"とを有する。原稿作成工程（Ｓ１）において管理すべき作業としては、第１のサプライヤ１４０〜第３のサプライヤ１６０から提供されるコンテンツの受け取りと、編集者１２４による、ページデータの生成、印刷会社１３０による組版データの生成が挙げられる。したがって、"作業名"には、"コンテンツ受取またはページデータ生成"、"組版データ生成"が格納され、"作業者名"には、"第１のサプライヤ"、"第２のサプライヤ"、"第３のサプライヤ"、"出版社"または"印刷会社"が格納される。
【００９３】
編集者１２４が、画像処理装置１２２を用いて管理サーバ１１０にコンテンツデータを送信し、情報端末１２１を用いて管理サーバ１１０にページデータを送信すると、第１の進捗情報７１０の記録欄７１１には"完了"が記録される。
【００９４】
また、組版オペレータ１３２が、情報端末１３１を用いて管理サーバ１１０に組版データを送信すると、第１の進捗情報７１０の記録欄７１２には"完了"が記録される。
【００９５】
同様に、第２の進捗情報７２０は、情報の項目として、"作業名"と"作業者名"とを有する。校正工程において管理すべき作業としては、第１のサプライヤ１４０〜第３のサプライヤ１６０及び編集者１２４への校正用原稿の配布と、受け取り、ならびに、印刷会社による組版データの修正が挙げられる。したがって、"作業名"には、"校正用原稿配布"、"校正用原稿受取"、"組版データ修正"が格納され、"作業者名"には、"第１のサプライヤ"、"第２のサプライヤ"、"第３のサプライヤ"、"出版社"または"印刷会社"が格納される。
【００９６】
編集者１２４が、第１のサプライヤ１４０〜第３のサプライヤ１６０に校正用原稿を配布したことを示す進捗情報を入力すると、当該進捗情報が管理サーバ１１０に送信される。これにより、第２の進捗情報７２０の記録欄７２１には"完了"が記録される。
【００９７】
また、編集者１２４が、画像処理装置１２２を用いて管理サーバ１１０に校正済みの校正用原稿のスキャンデータを送信すると、第２の進捗情報７２０の記録欄７２２には"完了"が記録される。
【００９８】
更に、組版オペレータ１３２が、情報端末１３１を用いて管理サーバ１１０に修正済みの組版データを送信すると、第２の進捗情報７２０の記録欄７２３には"完了"が記録される。
【００９９】
同様に、第３の進捗情報７３０は、情報の項目として、"作業名"と"作業者名"とを有する。承認工程において管理すべき作業としては、第１のサプライヤ１４０〜第３のサプライヤ１６０及び編集者１２４への承認用原稿の配布と、受け取り、校了が挙げられる。したがって、"作業名"には、"承認用原稿配布"、"承認用原稿受取"、"校了"が格納され、"作業者名"には、"第１のサプライヤ"、"第２のサプライヤ"、"第３のサプライヤ"、"出版社"が格納される。
【０１００】
編集者１２４が、第１のサプライヤ１４０〜第３のサプライヤ１６０に承認用原稿を配布したことを示す進捗情報を入力すると、当該進捗情報が管理サーバ１１０に送信される。これにより、第３の進捗情報７３０の記録欄７３１には"完了"が記録される。
【０１０１】
また、編集者１２４が、承認済みの承認用原稿を受け取ったことを示す進捗情報を入力すると、当該進捗情報が管理サーバ１１０に送信される。これにより、第３の進捗情報７３０の記録欄７３２には"完了"が記録される。
【０１０２】
なお、第３の進捗情報７３０の記録欄７３２に"完了"が記録されることで、出版業務管理部１１１では、当該出版物が校了したと判定し、記録欄７３３に"ＯＫ"を記録する。
【０１０３】
（２）台割情報の説明
次に、図８及び図９を用いて、台割情報格納部１１３に格納される台割情報について説明する。図８は、台割情報格納部に格納される台割情報の一例を示す図である。台割情報８００は、出版物の各ページの構成を示す情報であり、図８に示すように、冊子コードごとに生成される。図８の台割情報８００は、冊子コード＝"αα"の台割情報を示している。
【０１０４】
台割情報８００は、情報の項目として、"ページ"、"ページ単位コード"、"項目"、"カテゴリ"、"テンプレート"、"ステータス"、"ページデータまたはスキャンデータ格納先"、"組版データ格納先"を有する。
【０１０５】
"ページ"には、冊子コードにより特定される出版物のページ番号が登録される。"ページ単位コード"には、当該出版物の各ページを識別するコードが登録される。"項目"には、当該出版物における当該ページが、目次に該当するのか、本文に該当するのかを示す情報が登録される。
【０１０６】
"カテゴリ"には、当該出版物における当該ページの項目が"本文"であった場合に、当該ページに掲載されるコンテンツのカテゴリが登録される。"テンプレート"には、当該出版物における当該ページのページデータを生成する際に用いられるテンプレートが登録される。
【０１０７】
"ステータス"には、当該出版物を発行するまでの各工程を示す工程コードが登録される。本実施形態においては、出版業務が、原稿作成工程と、校正工程と、承認工程の３段階から構成されるが、"ステータス"には、このうち、原稿作成工程の工程コードである"Ｓ１"と校正工程の工程コードである"Ｓ２"とが登録される。承認工程においては、入力データ格納部１１５に新たにスキャンデータが格納されることもなければ、組版データ格納部１１４に新たに修正済みの組版データが格納されることもないからである。
【０１０８】
"ページデータまたはスキャンデータ格納先"には、ステータス＝"Ｓ１"（原稿作成工程）において、情報端末１２１より送信されたページデータを入力データ格納部１１５に格納する際の格納先が登録される。また、ステータス＝"Ｓ２"（校正工程）において、画像処理装置１２２より送信されたスキャンデータを入力データ格納部１１５に格納する際の格納先が登録される。
【０１０９】
"組版データ格納先"には、ステータス＝"Ｓ１"（原稿作成工程）において、情報端末１３１より送信された組版データを組版データ格納部１１４に格納する際の格納先が登録される。また、ステータス＝"Ｓ２"（校正工程）において、情報端末１３１より送信された修正済みの組版データを組版データ格納部１１４に格納する際の格納先が登録される。
【０１１０】
なお、図８に示すように、項目＝"本文"のページにおいてページデータの生成に用いられるテンプレートには、サプライヤにより提供されるコンテンツを挿入するブロックが含まれる。このため、項目＝"本文"のページには、更に、情報の項目として、"ブロック番号"、"ブロックコード"、"コンテンツＩＤ"が含まれる。
【０１１１】
"ブロック番号"には、当該ページに配置されたブロックを特定するための番号が登録される。例えば、冊子コード＝"αα"、ページ＝"Ｐａｇｅ３"には、３つのブロックが配置されるため、"３−１"、"３−２"、"３−３"が登録されている。
【０１１２】
"ブロックコード"には、当該ページの当該ブロックを識別するコードが登録される。例えば、冊子コード＝"αα"、ページ＝"Ｐａｇｅ３"には、"Ｂｌｋ３−１"、"Ｂｌｋ３−２"、"Ｂｌｋ３−３"が登録されている。
【０１１３】
"コンテンツＩＤ"には、当該ページに配置された各ブロックに挿入されるコンテンツを特定するための識別子が登録される。例えば、冊子コード＝"αα"、ページ＝"Ｐａｇｅ３"、ブロック番号＝"Ｂｌｋ３−１"〜"Ｂｌｋ３−３"には、それぞれ、コンテンツＩＤ＝"ＳＰ０１＿ＴｏｏｌＡ"〜"ＳＰ０３＿ＴｏｏｌＡ"が登録されている。
【０１１４】
図９は、台割情報に管理される各ページのページデータを模式的に示した図であり、特に、項目＝"本文"のページのページデータ（つまり、サプライヤにより提供されるコンテンツを挿入するブロックが含まれるページデータ）を模式的に示した図である。図９（ａ）は、台割情報８００のページ＝"Ｐａｇｅ３"のページデータ９１０を模式的に示した図である。
【０１１５】
図９（ａ）に示すように、ページデータ９１０は、編集者１２４により記載された各種情報９１４を含む。また、テンプレート＝"ＴＥＸＴ０１"にて定義されている３つのブロック９１１〜９１３を含む。ブロック９１１は、ブロックコード＝"Ｂｌｋ３−１"のブロックであり、コンテンツＩＤ＝"ＳＰ０１＿ＴｏｏｌＡ"が挿入される。ブロック９１２は、ブロックコード＝"Ｂｌｋ３−２"のブロックであり、コンテンツＩＤ＝"ＳＰ０２＿ＴｏｏｌＡ"が挿入される。ブロック９１３は、ブロックコード＝"Ｂｌｋ３−３"のブロックであり、コンテンツＩＤ＝"ＳＰ０３＿ＴｏｏｌＡ"が挿入される。
【０１１６】
同様に、図９（ｂ）、図９（ｃ）は、それぞれ、台割情報８００のページ＝"Ｐａｇｅ４"、"Ｐａｇｅ５"のページデータ９２０、９３０を模式的に示した図である。
【０１１７】
（３）属性情報の説明
次に、図１０を用いて、台割情報格納部１１３に格納される属性情報について説明する。図１０は、台割情報格納部に格納される属性情報の一例を示す図である。属性情報１０００は、コンテンツの属性を示す情報であり、図１０に示すように、冊子コードごとに生成される。図１０の属性情報１０００は、冊子コード＝"αα"の属性情報を示している。
【０１１８】
属性情報１０００は、情報の項目として、"サプライヤ"、"サプライヤコード"、"カテゴリ"、"コンテンツＩＤ"、"ステータス"、"コンテンツデータの格納先"を有する。
【０１１９】
"サプライヤ"には、冊子コードにより特定される出版物の発行に際して、コンテンツＩＤにより特定されるコンテンツを提供するサプライヤ名が登録される。"サプライヤコード"には、サプライヤを特定するコードが登録される。"カテゴリ"には、コンテンツＩＤにより特定されるコンテンツが属するカテゴリが登録される。
【０１２０】
"コンテンツＩＤ"には、サプライヤより提供されるコンテンツを特定するための識別子が登録される。"ステータス"には、当該出版物を発行するまでの各工程を示す工程コードが登録される。本実施形態においては、出版業務が、原稿作成工程と、校正工程と、承認工程の３段階から構成されるが、"ステータス"には、このうち、原稿作成工程の工程コードである"Ｓ１"と校正工程の工程コードである"Ｓ２"とが登録される。承認工程においては、入力データ格納部１１５に新たにコンテンツデータが格納されることはないからである。なお、校正工程においてもサプライヤから新たにコンテンツが提供されることがない場合には、情報の項目として"ステータス"自体を設ける必要はない。
【０１２１】
"コンテンツデータ格納先"には、コンテンツＩＤにより特定されるコンテンツがスキャンされることで、画像処理装置１２２より送信されるスキャンデータを、入力データ格納部１１５に格納する際の格納先が登録される。
【０１２２】
このように、本実施形態に係る出版業務管理システム１００は、台割情報格納部１１３において、台割情報８００と属性情報１０００とを分けて管理する。これは、出版物を発行するまでの工程において、台割情報８００を変更することが想定されるからである。属性情報１０００を台割情報８００と分けて管理することで、台割情報８００が変更された場合であっても、属性情報１０００自体は変更する必要がないため、台割情報８００の変更に伴う編集者１２４の作業負荷を最小限に抑えることができる。
【０１２３】
＜４．３  管理サーバの機能構成＞
次に、管理サーバ１１０の機能構成について説明する。図１１は、管理サーバの機能構成の一例を示す図である。図１１に示すように、管理サーバ１１０の出版業務管理部１１１は、管理情報登録部１１０１、台割情報管理部１１０２、印刷制御部１１０３、入力データ処理部１１０４、組版データ登録部１１０５を有する。
【０１２４】
管理情報登録部１１０１は、情報端末１２１より送信される管理情報７００を管理情報格納部１１２に登録する。また、管理情報登録部１１０１は、情報端末１２１より送信される進捗情報を取得し、管理情報格納部１１２の管理情報７００を更新する。また、管理情報登録部１１０１は、情報端末１２１よりページデータが送信された場合、画像処理装置１２２よりコンテンツデータまたはスキャンデータが送信された場合に、管理情報格納部１１２の管理情報７００を更新する。更に、管理情報登録部１１０１は、情報端末１３１より組版データ（または修正済みの組版データ）が送信された場合に、管理情報格納部１１２の管理情報７００を更新する。
【０１２５】
台割情報管理部１１０２は、情報端末１２１より送信される台割情報８００を取得し、台割情報格納部１１３に格納する。また、台割情報管理部１１０２は、情報端末１２１より送信される属性情報１０００を取得し、台割情報８００と関連付けて台割情報格納部１１３に格納する。
【０１２６】
印刷制御部１１０３は、画像処理装置１２２より、一覧要求を受信した場合に、一覧情報を生成し、画像処理装置１２２に送信する。具体的には、印刷制御部１１０３は、一覧要求に含まれる条件に応じた校正用原稿（または承認用原稿）を印刷するための組版データを、組版データ格納部１１４より抽出し、抽出した組版データのファイル名の一覧情報を生成し、画像処理装置１２２に送信する。
【０１２７】
例えば、出版社用の校正用原稿についての一覧要求を受信した場合、印刷制御部１１０３は、台割情報８００の全ページについて、ステータス＝"Ｓ２"に対応付けられた"組版データ格納先"を参照することで、組版データ格納部１１４より組版データを抽出する。また、印刷制御部１１０３は、抽出した組版データのファイル名を、ページ番号と対応付けて、一覧情報として、画像処理装置１２２に送信する。
【０１２８】
一方、特定のサプライヤ用の校正用原稿についての一覧要求を受信した場合、印刷制御部１１０３は、当該サプライヤのサプライヤコードに基づいて、属性情報１０００を参照し、対応するコンテンツＩＤを全て抽出する。また、印刷制御部１１０３は、抽出したコンテンツＩＤに対応付けられた"コンテンツデータ格納先"を参照することで、入力データ格納部１１５よりコンテンツデータを抽出する。また、印刷制御部１１０３は、台割情報８００を参照し、抽出したコンテンツＩＤが対応付けられたブロックコードを特定し、更に、特定したブロックコードが含まれるページを特定する。また、印刷制御部１１０３は、特定したページに対応付けられた"組版データ格納先"を参照することで、組版データ格納部１１４より組版データを抽出する。更に、印刷制御部１１０３は、抽出したコンテンツデータのファイル名及び抽出した組版データのファイル名を、ページ番号と対応付けて、一覧情報として、画像処理装置１２２に送信する。
【０１２９】
また、印刷制御部１１０３は、一覧情報の送信に応じて、画像処理装置１２２より印刷要求を受信した場合に、校正用原稿データまたは承認用原稿データを生成し、画像処理装置１２２に送信する。具体的には、印刷制御部１１０３は、印刷要求において指定されたページの組版データを、組版データ格納部１１４より読み出し、配布先に応じた処理を施したうえで、校正用フォーマットまたは承認用フォーマットに組み込む。更に、印刷制御部１１０３は、管理情報７００または台割情報８００に登録された情報を、校正用フォーマットまたは承認用フォーマットに記入することで、校正用原稿データまたは承認用原稿データを生成する。なお、印刷制御部１１０３により生成され、画像処理装置１２２により印刷された校正用原稿の詳細は後述する。
【０１３０】
入力データ処理部１１０４は、情報端末１２１より送信されるページデータを受信し、入力データ格納部１１５に格納する。また、入力データ処理部１１０４は、画像処理装置１２２より送信されるコンテンツデータまたはスキャンデータを受信し、入力データ格納部１１５に格納する。
【０１３１】
また、入力データ処理部１１０４は、入力データ格納部１１５に格納したページデータ及びコンテンツデータを情報端末１３１に送信する。更に、入力データ処理部１１０４は、入力データ格納部１１５に格納したスキャンデータを情報端末１３１に送信する。
【０１３２】
組版データ登録部１１０５は、情報端末１３１より、組版データ（または修正済みの組版データ）が送信された場合に、組版データ格納部１１４に格納する。
【０１３３】
＜４．４  校正用原稿の説明＞
次に、印刷制御部１１０３により生成され、画像処理装置１２２により印刷される校正用原稿について説明する。図１２は、出版社用の校正用原稿に含まれる各シートの一例を示す図である。
【０１３４】
図１２に示すように、印刷制御部１１０３は、組版データを校正用フォーマットに組み込むことで、校正用原稿の各シートを生成する。シート１２１０は、校正用原稿の各シートのうち、ページ＝"Ｐａｇｅ１"の組版データ１２１０ａを校正用フォーマット１２００に組み込むことで生成されたシートである。また、シート１２２０は、校正用原稿の各シートのうち、ページ＝"Ｐａｇｅ３"の組版データ１２２０ａを校正用フォーマット１２００に組み込むことで生成されたシートである。
【０１３５】
校正用フォーマット１２００には、１シートあたり１ページの組版データが挿入されるようにトンボ１２１１が配置されている。トンボとは、出版物を作成する際に、仕上がりサイズに断裁するための位置や多色刷りの見当合わせのために、版下の天地・左右の四隅などに付される目印のことをいう。
【０１３６】
校正用フォーマット１２００は、更に、組版データ１２１０ａ、１２２０ａが挿入される挿入領域１２１２を有する。また、校正用フォーマット１２００は、挿入領域１２１２の外側に、管理情報表示領域１２１３、チェックマーク表示領域１２１４、二次元コード表示領域１２１５、現ページ／総ページ数表示領域１２１６を有する。
【０１３７】
管理情報表示領域１２１３には、管理情報格納部１１２の管理情報または台割情報格納部１１３の台割情報に基づく情報が記入される。図１２の例は、"校正工程"において生成されたシートであるため、工程特定欄１２１７には、"校正"が記入されている。なお、承認工程において生成されたシートであった場合、工程特定欄１２１７には、"承認"が記入されることになる。更に、管理情報表示領域１２１３の冊子名記入欄１２１８には、冊子名が記入される。
【０１３８】
チェックマーク表示領域１２１４には、校正用原稿が印刷され、校正が行われた場合に、校正が行われたことを示すチェックを付けるためのマークが記入される。組版オペレータ１３２は、チェックマーク表示領域１２１４を参照し、マークが記入されているか否かを判断することで、当該シートが、校正が行われたシートであるか否かを区別する。
【０１３９】
現ページ／総ページ数表示領域１２１６には、台割情報８００の当該"ページ"の値と、台割情報８００の"ページ"の最終ページの値とが記入される。
【０１４０】
二次元コード表示領域１２１５には、ＱＲ（Quick Response  登録商標）コード等の二次元コードが記入される。なお、二次元コードが表す情報を、情報１２１５Ｉ、１２２５Ｉに示す。情報１２１５Ｉ、１２２５Ｉに示すように、二次元コードは情報の項目として、"冊子コード"、"ページ単位コード"、"工程コード"、"総ページ"、"現ページ"、"サプライヤコード"、"ブロックコード"を有する。
【０１４１】
"冊子コード"には、管理情報７００に登録された冊子コードが記入される。"ページ単位コード"には、台割情報８００に登録されたページ単位コードが記入される。"工程コード"には、管理情報７００に登録された工程コードが記入される。
【０１４２】
"総ページ"、"現ページ"には、台割情報８００の"ページ"の最終ページの値と、当該"ページ"の値とが記入される。
【０１４３】
"サプライヤコード"には、当該ページの組版データ１２１０ａ、１２２０ａにおいて、ブロックに挿入されているコンテンツを提供するサプライヤを特定するためのサプライヤコードが記入される。なお、組版データ１２１０ａの場合、ブロックが含まれていないためコンテンツが挿入されることはなく、"サプライヤコード"には、"ＮＵＬＬ"が記入されている。一方、組版データ１２２０ａの場合、いずれのブロックにもコンテンツが挿入されているため（特定のサプライヤのコンテンツのみが挿入されているわけではないため）、"サプライヤコード"には、"ＡＬＬ"が記入されている。
【０１４４】
"ブロックコード"には、当該ページの組版データ１２１０ａ、１２２０ａに含まれるブロックのブロック番号が記入される。なお、組版データ１２１０ａの場合、ブロックが含まれていないため、"ブロックコード"には、"ＮＵＬＬ"が記入されている。一方、組版データ１２２０ａの場合、いずれのブロックも含まれているため（削除されたブロックがないため）、"ブロックコード"には、"ＡＬＬ"が記入されている。
【０１４５】
なお、図１２に示す出版社用の校正用原稿が印刷されることで、編集者１２４は、各サプライヤより提供されたコンテンツが全て掲載された校正用原稿について、校正作業を行うことができる。
【０１４６】
図１３は、サプライヤ用の校正用原稿に含まれるシートの一例を示す図である。図１３（ａ）のシート１３１０は、第１のサプライヤ用の校正用原稿の各シートのうち、ページ＝"Ｐａｇｅ３"の組版データ１２１０ａを校正用フォーマット１２００に組み込むことで生成されたシートである。ただし、印刷制御部１１０３は、ページ＝"Ｐａｇｅ３"の組版データ１２１０ａを校正用フォーマット１２００に組み込むにあたり、第１のサプライヤ１４０が提供するコンテンツ以外のコンテンツを削除して組版データ１３１０ａを生成している。
【０１４７】
このため、情報１２２５Ｉ＿１において、"サプライヤコード"には、第１のサプライヤ１４０を示す"１ＳＰ"が記入されている。また、情報１２２５Ｉ＿１において、"ブロックコード"には、第１のサプライヤ１４０が提供するコンテンツのコンテンツＩＤ（"ＳＰ０１＿ＴｏｏｌＡ"）と対応付けられた"Ｂｌｋ３−１"が記入されている。
【０１４８】
なお、図１３（ａ）に示す第１のサプライヤ用の校正用原稿が印刷されることで、第１のサプライヤ１４０の生成者１４２は、自社が提供したコンテンツが掲載された領域が印刷されたページからなる校正用原稿について、校正作業を行うことができる。
【０１４９】
図１３（ｂ）のシート１３２０は、第２のサプライヤ用の校正用原稿の各シートのうち、ページ＝"Ｐａｇｅ３"の組版データ１２１０ａを校正用フォーマット１２００に組み込むことで生成されたシートである。ただし、印刷制御部１１０３は、ページ＝"Ｐａｇｅ３"の組版データ１２１０ａを校正用フォーマット１２００に組み込むにあたり、第２のサプライヤ１５０が提供するコンテンツ以外のコンテンツを削除して組版データ１３２０ａを生成している。
【０１５０】
このため、情報１２２５Ｉ＿２において、"サプライヤコード"には、第２のサプライヤ１５０を示す"２ＳＰ"が記入されている。また、情報１２２５Ｉ＿２において、"ブロックコード"には、第２のサプライヤ１５０が提供するコンテンツのコンテンツＩＤ（"ＳＰ０２＿ＴｏｏｌＡ"）と対応付けられた"Ｂｌｋ３−２"が記入されている。
【０１５１】
なお、図１３（ｂ）に示す第２のサプライヤ用の校正用原稿が印刷されることで、第２のサプライヤ１５０の生成者１５２は、自社が提供したコンテンツが掲載された領域が印刷されたページからなる校正用原稿について、校正作業を行うことができる。
【０１５２】
図１３（ｃ）のシート１３３０は、第３のサプライヤ用の校正用原稿の各シートのうち、ページ＝"Ｐａｇｅ３"の組版データ１２１０ａを校正用フォーマット１２００に組み込むことで生成されたシートである。ただし、印刷制御部１１０３は、ページ＝"Ｐａｇｅ３"の組版データ１２１０ａを校正用フォーマット１２００に組み込むにあたり、第３のサプライヤ１６０が提供するコンテンツ以外のコンテンツを削除して組版データ１３３０ａを生成している。
【０１５３】
このため、情報１２２５Ｉ＿３において、"サプライヤコード"には、第３のサプライヤ１６０を示す"３ＳＰ"が記入されている。また、情報１２２５Ｉ＿３において、"ブロックコード"には、第３のサプライヤ１６０が提供するコンテンツのコンテンツＩＤ（"ＳＰ０３＿ＴｏｏｌＡ"）と対応付けられた"Ｂｌｋ３−３"が記入されている。
【０１５４】
なお、図１３（ｃ）に示す第３のサプライヤ用の校正用原稿が印刷されることで、第３のサプライヤ１６０の生成者１６２は、自社が提供したコンテンツが掲載された領域が印刷されたページからなる校正用原稿について、校正作業を行うことができる。
【０１５５】
また、本実施形態に係る出版業務管理システム１００では、印刷制御部１１０３が校正用原稿を印刷するにあたり、校正用フォーマットを利用して、管理情報７００または台割情報８００に登録された情報を記入する。これにより、同一ページについて複数の校正用原稿が印刷された場合でも、校正用フォーマットに記入された情報に基づいて、それぞれの校正用原稿を、配布先ごとに区別して管理することができる。
【０１５６】
なお、本実施形態に係る出版業務管理システム１００では、印刷制御部１１０３が承認用原稿を印刷する場合も、承認用フォーマットを利用して、同様に、管理情報７００または台割情報８００に登録された情報を記入する。このため、同一ページについて複数の承認用原稿が印刷された場合でも、承認用フォーマットに記入された情報に基づいて、それぞれの承認用原稿を、配布先ごとに区別して管理することができる。
【０１５７】
なお、校正用フォーマットに記入される工程コードと承認用フォーマットに記入される工程コードとは異なるため、同一ページについて印刷された同一配布先の校正用原稿と承認用原稿とを、区別して管理できることは明らかである。
【０１５８】
＜４．５  入力データ処理部により生成されるスキャンデータの説明＞
次に、入力データ処理部１１０４により生成されるスキャンデータについて説明する。図１４は、校正済みの出版社用の校正用原稿をスキャンすることで取得されるスキャンデータを説明するための図である。画像処理装置１２２により印刷された出版社用の校正用原稿は、編集者１２４により校正された後、画像処理装置１２２によりスキャンされる。
【０１５９】
入力データ処理部１１０４は、図１４に示すように、画像処理装置１２２より送信されたスキャンデータを入力データ格納部１１５に格納するにあたり、所定のファイル名を決定する。
【０１６０】
具体的には、入力データ処理部１１０４は、校正用フォーマットに記入された情報に基づいてファイル名を決定する。ファイル名１４０１、１４０２は、入力データ処理部１１０４により決定されたファイル名を示しており、冊子コード、ページ単位コード、工程コード、総ページ、現ページ、サプライヤコード、ブロックコード、赤入れの有無に関する情報を含む。
【０１６１】
このうち、冊子コード、ページ単位コード、工程コード、総ページ、現ページ、サプライヤコード、ブロックコードについては、スキャンデータの二次元コード表示領域１２１５に記入されている二次元コードを解析することで決定する。また、赤入れの有無に関する情報は、スキャンデータのチェックマーク表示領域１２１４のマークにチェックが付けられているか否かを判定することで決定する。
【０１６２】
図１５は、校正済みのサプライヤ用の校正用原稿をスキャンすることで取得されるスキャンデータを説明するための図である。画像処理装置１２２により印刷されたサプライヤ用の校正用原稿は、生成者１４２、１５２、１６２により校正された後、画像処理装置１２２によりスキャンされる。
【０１６３】
入力データ処理部１１０４は、図１５に示すように、画像処理装置１２２より送信されたスキャンデータを入力データ格納部１１５に格納するにあたり、所定のファイル名を決定する。
【０１６４】
図１５の場合も同様に、ファイル名１５０１〜１５０３は、冊子コード、ページ単位コード、工程コード、総ページ、現ページ、サプライヤコード、ブロックコード、赤入れの有無に関する情報を含む。
【０１６５】
このように、校正用フォーマットに記入された情報に基づいて、ファイル名を決定することで、入力データ処理部１１０４では、ファイル名を一意に決定することができる。このため、同一ページについて印刷された複数の校正用原稿が校正され、スキャンデータとして送信された場合でも、校正用フォーマットに記入された情報に基づいて、それぞれのスキャンデータを区別して管理することができる。つまり、校正済みの校正用原稿を収集した際の出版社１２０による原稿管理の作業負荷を低減することができる。
【０１６６】
また、入力データ処理部１１０４では、入力データ格納部１１５にスキャンデータを格納するにあたり、決定したファイル名に基づいて格納先を検索し、決定したファイル名に応じた格納先に格納する。
【０１６７】
これにより、入力データ処理部１１０４では、入力データ格納部１１５にスキャンデータを格納するにあたり、決定したファイル名に応じた格納先が存在しなかった場合に、当該スキャンデータが、適切なスキャンデータでないと判定することができる。
【０１６８】
なお、適切なスキャンデータでないと判定するケースとしては、例えば、冊子コードが適切でないスキャンデータが挙げられる。他の冊子名の校正用原稿が誤って紛れ込んだ場合に、入力データ処理部１１０４では、これを検出することができる。また、適切なスキャンデータでないと判定する他のケースとしては、工程コードが適切でないスキャンデータが挙げられる。承認用原稿に誤って校正用原稿が紛れ込んだ場合に、入力データ処理部１１０４では、これを検出することができる。
【０１６９】
＜４．６  管理サーバにより実行される処理＞
次に、管理サーバ１１０により実行される処理について説明する。
【０１７０】
（１）登録・更新処理
はじめに、管理情報格納部１１２に管理情報を登録し、登録した管理情報を更新する登録・更新処理について説明する。図１６は、登録・更新処理の流れを示すフローチャートである。
【０１７１】
ステップＳ１６０１において、管理情報登録部１１０１は、情報端末１２１より管理情報７００を受信したか否かを判定する。ステップＳ１６０１において、管理情報７００を受信したと判定した場合には、ステップＳ１６０２に進む。
【０１７２】
ステップＳ１６０２において、管理情報登録部１１０１は、受信した管理情報７００を、管理情報格納部１１２に格納する。
【０１７３】
一方、ステップＳ１６０１において、管理情報７００を受信していないと判定した場合には、ステップＳ１６０３に進む。ステップＳ１６０３において、管理情報登録部１１０１は、作業の進捗があったか否かを判定する。
【０１７４】
ステップＳ１６０３において、作業の進捗があったと判定した場合には、ステップＳ１６０４に進み、管理情報７００を更新する。
【０１７５】
なお、管理情報登録部１１０１では、情報端末１２１より進捗情報を受信した場合に、作業の進捗があったと判定する。また、管理情報登録部１１０１では、情報端末１２１よりページデータが送信された場合に、作業の進捗があったと判定する。また、管理情報登録部１１０１では、画像処理装置１２２より、コンテンツデータまたはスキャンデータが送信された場合に、作業の進捗があったと判定する。更に、管理情報登録部１１０１では、情報端末１３１より、組版データが送信された場合、または修正済みの組版データが送信された場合に、作業の進捗があったと判定する。
【０１７６】
一方、ステップＳ１６０３において、作業の進捗があったと判定されなかった場合には、ステップＳ１６０５に進む。ステップＳ１６０５において、管理情報登録部１１０１は、情報端末１２１より承認作業が完了したことを示す進捗情報が送信されたか否かを判定する。
【０１７７】
ステップＳ１６０５において、承認作業が完了したことを示す進捗情報が送信されていないと判定した場合には、校了していないと判断し、ステップＳ１６０１に戻る。一方、承認作業が完了したことを示す進捗情報が送信されたと判定した場合には、校了したと判断し、第３の進捗情報７３０の記録欄７３３に"ＯＫ"を記録した後、登録・更新処理を終了する。
【０１７８】
（２）印刷制御処理（一覧情報提供処理）
次に、印刷制御部１１０３により実行される印刷制御処理のうち、画像処理装置１２２からの一覧要求に応じて一覧情報を提供する一覧情報提供処理について説明する。図１７は、印刷制御処理（一覧情報提供処理）の流れを示すフローチャートである。
【０１７９】
ステップＳ１７０１において、印刷制御部１１０３は、画像処理装置１２２より一覧要求を受信したか否かを判定する。ステップＳ１７０１において、一覧要求を受信していないと判定した場合には、一覧要求を受信するまで待機する。
【０１８０】
一方、ステップＳ１７０１において、一覧要求を受信したと判定した場合には、ステップＳ１７０２に進む。ステップＳ１７０２において、印刷制御部１１０３は、一覧要求に含まれる、配布先についての条件（出版社用かサプライヤ用か）を抽出することで、印刷結果（校正用原稿または承認用原稿）の配布対象を特定する。
【０１８１】
ステップＳ１７０２において特定した配布対象が、出版社であった場合、ステップＳ１７０３において、印刷制御部１１０３は、ステップＳ１７０４に進む。ステップＳ１７０４において、印刷制御部１１０３は、一覧要求に含まれる冊子コードを特定する。
【０１８２】
ステップＳ１７０５において、印刷制御部１１０３は、台割情報格納部１１３を参照し、ステップＳ１７０４において特定した冊子コードに対応する台割情報８００を読み出す。
【０１８３】
ステップＳ１７０６において、印刷制御部１１０３は、一覧要求に含まれる工程コードを特定する。
【０１８４】
ステップＳ１７０７において、印刷制御部１１０３は、台割情報８００を参照し、各ページにおいて、ステップＳ１７０６において特定した工程コードに対応付けられた"組版データ格納先"を特定する。また、印刷制御部１１０３は、特定した"組版データ格納先"に基づいて、組版データ格納部１１４を参照し、組版データのファイル名を読み出す。
【０１８５】
ステップＳ１７０８において、印刷制御部１１０３は、ステップＳ１７０７において読み出されたファイル名を、それぞれのページ番号と対応付けて、一覧情報として、画像処理装置１２２に送信する。
【０１８６】
一方、ステップＳ１７０２において特定した配布対象が、サプライヤであった場合、ステップＳ１７０３において、印刷制御部１１０３は、ステップＳ１７１０に進む。ステップＳ１７１０において、印刷制御部１１０３は、一覧要求に含まれる冊子コードと工程コードとサプライヤコードとを特定する。
【０１８７】
ステップＳ１７１１において、印刷制御部１１０３は、台割情報格納部１１３を参照し、ステップＳ１７１０において特定した冊子コードに対応する台割情報８００及び属性情報１０００を読み出す。
【０１８８】
ステップＳ１７１２において、印刷制御部１１０３は、属性情報１０００を参照し、ステップＳ１７１０において特定したサプライヤコードに対応するコンテンツＩＤを特定する。また、印刷制御部１１０３は、特定したコンテンツＩＤと、ステップＳ１７１０において特定した工程コードとに対応付けられた"コンテンツデータの格納先"に基づいて、入力データ格納部１１５を参照し、コンテンツデータのファイル名を読み出す。
【０１８９】
ステップＳ１７１３において、印刷制御部１１０３は、台割情報８００を参照し、特定したコンテンツＩＤが対応付けられたブロックコードを特定し、該ブロックコードが含まれるページを特定する。
【０１９０】
ステップＳ１７１４において、印刷制御部１１０３は、台割情報８００を参照し、ステップＳ１７１３において特定したページそれぞれにおいて、ステップＳ１７１０において特定した工程コードに対応付けられた"組版データ格納先"を特定する。また、印刷制御部１１０３は、台割情報８００を参照することで特定した"組版データ格納先"に基づいて、組版データ格納部１１４を参照し、組版データのファイル名を読み出す。
【０１９１】
ステップＳ１７１５において、印刷制御部１１０３は、ステップＳ１７１２及びステップＳ１７１４において読み出したコンテンツデータのファイル名及び組版データのファイル名を、ページ番号と対応付けて、一覧情報として画像処理装置１２２に送信する。
【０１９２】
（３）印刷制御処理（シート出力処理）
次に、印刷制御部１１０３により実行される印刷制御処理のうち、画像処理装置１２２からの印刷要求に応じて校正用原稿または承認用原稿のシートを出力するシート出力処理について説明する。図１８は、印刷制御処理（シート出力処理）の流れを示すフローチャートである。
【０１９３】
ステップＳ１８０１において、印刷制御部１１０３は、画像処理装置１２２より印刷要求を受信したか否かを判定する。ステップＳ１８０１において、印刷要求を受信していないと判定した場合には、印刷要求を受信するまで待機する。
【０１９４】
一方、ステップＳ１８０１において、印刷要求を受信したと判定した場合には、ステップＳ１８０２に進む。ステップＳ１８０２において、印刷制御部１１０３は、画像処理装置１２２から送信された印刷要求が、出版社用の校正用原稿または承認用原稿の印刷要求か、サプライヤ用の校正用原稿または承認用原稿の印刷要求かを判定する。
【０１９５】
ステップＳ１８０２において、出版社用の校正用原稿または承認用原稿の印刷要求であると判定した場合には、ステップＳ１８０３に進む。ステップＳ１８０３において、印刷制御部１１０３は、図１７のステップＳ１７０７において読み出されたファイル名の組版データのうち、印刷要求に含まれるページ範囲により特定されるページの組版データを、組版データ格納部１１４より読み出す。
【０１９６】
一方、ステップＳ１８０２において、サプライヤ用の校正用原稿または承認用原稿の印刷要求であると判定した場合には、ステップＳ１８０４に進む。ステップＳ１８０４において、印刷制御部１１０３は、図１７のステップＳ１７１４において読み出されたファイル名の組版データを、組版データ格納部１１４より読み出す。
【０１９７】
ステップＳ１８０５において、印刷制御部１１０３は、ステップＳ１８０４において読み出した組版データについて、図１７のステップＳ１７１２において特定されたコンテンツＩＤが対応付けられたブロック以外のブロックを削除する。これにより、所定のサプライヤにより提供されたコンテンツが挿入された組版データを生成することができる。
【０１９８】
ステップＳ１８０６において、印刷制御部１１０３は、各ページの組版データを、校正用フォーマット（または承認用フォーマット）に挿入する。
【０１９９】
ステップＳ１８０７において、印刷制御部１１０３は、管理情報７００を参照することで、各ページの管理情報表示領域に、工程名、冊子名を記入する。
【０２００】
ステップＳ１８０８において、印刷制御部１１０３は、各ページのチェックマーク表示領域に所定のマークを記入する。
【０２０１】
ステップＳ１８０９において、印刷制御部１１０３は、台割情報８００を参照することで、各ページの現ページ／総ページ数表示領域に、現ページの値及び総ページ数の値を記入する。
【０２０２】
ステップＳ１８１０において、印刷制御部１１０３は、管理情報７００、台割情報８００を参照することで、各ページに応じた二次元コードを生成し、各ページの二次元コード表示領域１２１５に、生成した二次元コードを記入する。
【０２０３】
ステップＳ１８１１において、印刷制御部１１０３は、生成した各ページを、校正用原稿データまたは承認用原稿データとして、画像処理装置１２２に送信する。
【０２０４】
（４）スキャン制御処理（スキャンデータ生成処理）
次に、入力データ処理部１１０４により実行されるスキャン制御処理のうち、画像処理装置１２２から送信されたスキャンデータについて、ファイル名を決定するスキャンデータ生成処理について説明する。図１９は、スキャン制御処理（スキャンデータ生成処理）の流れを示すフローチャートである。
【０２０５】
ステップＳ１９０１において、入力データ処理部１１０４は、画像処理装置１２２より校正済み原稿についてのスキャンデータを受信したか否かを判定する。ステップＳ１９０１において、スキャンデータを受信していないと判定した場合には、スキャンデータを受信するまで待機する。
【０２０６】
一方、ステップＳ１９０１において、スキャンデータを受信したと判定した場合には、ステップＳ１９０２に進む。ステップＳ１９０２において、入力データ処理部１１０４は、シートカウンタｎに１を代入する。
【０２０７】
ステップＳ１９０３において、入力データ処理部１１０４は、画像処理装置１２２より受信したスキャンデータのうち、ｎシート目を読み出す。ステップＳ１９０４において、入力データ処理部１１０４は、ステップＳ１９０３において読み出したｎシート目のスキャンデータについて、二次元コード表示領域に二次元コードが付されているか否かを判定し、スキャンデータの適否を判定する。
【０２０８】
ステップＳ１９０４において、二次元コードが付されていないと判定した場合には、ステップＳ１９０８に進む。ステップＳ１９０８において、入力データ処理部１１０４は、適切なスキャンデータでないと判定し、エラー処理を行う。具体的には、入力データ処理部１１０４は、適切なスキャンデータでないことを画像処理装置１２２に通知する。
【０２０９】
一方、ステップＳ１９０４において、二次元コードが付されていると判定した場合には、ステップＳ１９０５に進む。ステップＳ１９０５において、入力データ処理部１１０４は、二次元コードを解析し、冊子コード、ページ単位コード、工程コード、総ページ、現ページ、サプライヤコード、ブロックコードを読み出す。
【０２１０】
ステップＳ１９０６において、入力データ処理部１１０４は、チェックマーク表示領域を解析し、赤入れの有無を判定する。
【０２１１】
ステップＳ１９０７において、入力データ処理部１１０４は、ステップＳ１９０５において読み出した情報と、ステップＳ１９０６において判定された判定結果とに基づいて、ｎシート目のスキャンデータのファイル名を決定する。
【０２１２】
ステップＳ１９０９において、入力データ処理部１１０４は、全てのシートについてファイル名を決定したか否かを判定する。ステップＳ１９０９において、ファイル名を決定していないシートがあると判定した場合には、ステップＳ１９１０に進み、シートカウンタｎをインクリメントした後、ステップＳ１９０３に戻る。
【０２１３】
一方、全てのシートについてファイル名を決定したと判定した場合には、スキャンデータ生成処理を終了する。
【０２１４】
（５）スキャン制御処理（スキャンデータ格納処理）
次に、入力データ処理部１１０４により実行されるスキャン制御処理のうち、ファイル名が決定されたスキャンデータを、入力データ格納部１１５に格納するスキャンデータ格納処理について説明する。図２０は、スキャン制御処理（スキャンデータ格納処理）の流れを示すフローチャートである。
【０２１５】
ステップＳ２００１において、入力データ処理部１１０４は、スキャンデータカウンタｍに１を代入する。
【０２１６】
ステップＳ２００２において、入力データ処理部１１０４は、ファイル名が決定されたｍ番目のスキャンデータについて、ファイル名に含まれる各情報を抽出する。
【０２１７】
ステップＳ２００３において、入力データ処理部１１０４は、ステップＳ２００２において抽出した情報と、台割情報８００の各項目に格納された情報とを対比することで、スキャンデータの適否を判定する。
【０２１８】
対比の結果、台割情報８００の各項目に格納された情報の中に、ステップＳ２００２において抽出した情報に合致する情報が格納されていた場合には、ｍ番目のスキャンデータの格納先があると判定し、ステップＳ２００５に進む。
【０２１９】
ステップＳ２００５において、入力データ処理部１１０４は、判定した格納先に、ｍ番目のスキャンデータを格納する。
【０２２０】
一方、対比の結果、台割情報８００の各項目に格納された情報の中に、ステップＳ２００２において抽出した情報に合致する情報が格納されていなかった場合には、ｍ番目のスキャンデータの格納先が存在しないと判定し、ステップＳ２００６に進む。
【０２２１】
ステップＳ２００６において、入力データ処理部１１０４は、適切なスキャンデータでないと判定し、エラー処理を行う。具体的には、入力データ処理部１１０４は、適切なスキャンデータでないことを画像処理装置１２２に通知するとともに、適切なスキャンデータでないことを示す所定のファイル名により、所定のエラーフォルダに、ｍ番目のスキャンデータを格納する。
【０２２２】
ステップＳ２００７において、入力データ処理部１１０４は、スキャンデータ生成処理においてファイル名が決定された全てのスキャンデータについて、入力データ格納部１１５に格納したか否かを判定する。
【０２２３】
ステップＳ２００７において、未だ格納していないスキャンデータがあると判定した場合には、ステップＳ２００８に進み、スキャンデータカウンタｍをインクリメントした後、ステップＳ２００２に戻る。一方、ステップＳ２００７において、全てのスキャンデータについて格納したと判定した場合には、スキャンデータ格納処理を終了する。
【０２２４】
＜５．情報端末の説明＞
次に、情報端末１３１における処理について説明する。図１を用いて説明したとおり、印刷会社１３０において、組版オペレータ１３２は、情報端末１３１を用いて、組版データを生成したり、修正したりする。図２１は、情報端末において実行される処理を説明するための図である。
【０２２５】
図２１（ａ）は、組版オペレータ１３２が、組版データを生成する様子を示した図である。図２１（ａ）に示すように、情報端末１３１の画面２１０１は、ページデータ、コンテンツデータを表示する第１の表示画面２１１１と、組版データを表示する第２の表示画面２１２１とを有する。
【０２２６】
第１の表示画面２１１１には、入力データ格納部１１５に格納されたコンテンツデータとページデータとが表示される。
【０２２７】
図２１（ａ）の例は、コンテンツ１４３、１５３、１６３をスキャンすることで画像処理装置１２２から送信されたコンテンツデータと、情報端末１２１から送信されたページデータ１２５とが表示された様子を示している。
【０２２８】
第２の表示画面２１２１には、第１の表示画面２１１１に表示されたコンテンツ１４３、１５３、１６３のコンテンツデータとページデータ１２５とに基づいて、組版オペレータ１３２が生成した組版データが表示される。
【０２２９】
第２の表示画面２１２１に示す組版データは、組版オペレータ１３２により、管理サーバ１１０の組版データ格納部１１４に格納される。
【０２３０】
図２１（ｂ）は、組版オペレータ１３２が、組版データを修正する様子を示した図である。図２１（ｂ）に示すように、第１の表示画面２１１１には、入力データ格納部１１５に格納されたスキャンデータであって、校正済みの校正用原稿をスキャンすることで生成されたスキャンデータが表示される。
【０２３１】
図２１（ｂ）の例は、冊子コード＝ααにより特定される出版物であって、ページ名＝"Ｐａｇｅ３"の出版社用の校正用原稿をスキャンすることで得られたスキャンデータである。スキャンデータ２１３１の場合、校正用原稿の一部に赤入れが行われているため、チェックマーク表示領域には、校正用原稿について赤入れが行われたことを示すチェックが付けられている。
【０２３２】
第２の表示画面２１２１は、組版オペレータ１３２が、入力データ格納部１１５より読み出したスキャンデータ２１３１に基づいて、組版データ格納部１１４より読み出した組版データ２１４１に修正が加えられた様子を示している。
【０２３３】
修正された組版データ２１４１は、組版オペレータ１３２により、組版データ格納部１１４に格納される。
【０２３４】
＜６．まとめ＞
以上の説明から明らかなように、本実施形態における出版業務管理システムは、
・各サプライヤにより提供されるコンテンツが対応付けられたブロックが配置された、出版物の各ページの構成を示す台割情報を管理する。
・所定のサプライヤが指定された印刷要求を受信した場合に、台割情報を参照することで、指定されたサプライヤにより提供されるコンテンツが対応付けられたブロックを特定する。そして、指定されたサプライヤにより提供されるコンテンツが、特定したブロックに挿入されたページを生成して印刷する。
【０２３５】
これにより、出版社は、配布先のサプライヤを指定することで、配布先が校正作業または承認作業を行うのに適した校正用原稿または承認用原稿を印刷することが可能となる。つまり、本実施形態における出版業務管理システムによれば、原稿印刷における出版社の作業負荷を低減させることができる。
【０２３６】
また、本実施形態における出版業務管理システムは、校正用または承認用の原稿を印刷する際に、出版物の各ページを特定する情報に加え、印刷時の工程を特定する情報及び配布先を特定する情報を付して印刷する。
【０２３７】
これにより、出版社は、印刷時の工程が異なることにより、または、配布先が異なることにより、同一ページについて複数の原稿が印刷された場合であっても、それぞれの原稿を区別して管理することが可能となる。つまり、本実施形態における出版業務管理システムによれば、出版社による原稿管理の作業負荷を低減させることができる。
【０２３８】
この結果、本実施形態における出版業務管理システムによれば、出版業務の効率化を実現できる。
【０２３９】
［第２の実施形態］
第２の実施形態では、管理サーバ１１０利用時の課金について説明する。図２２は、管理サーバの他の機能構成の一例を示す図である。なお、図２２に示す機能構成のうち、図１１の機能構成と同様の構成については同じ符号を付すこととし、ここでは説明を省略する。
【０２４０】
図１１の機能構成との相違点は課金部２２０１を有する点である。課金部２２０１は、情報端末１２１、画像処理装置１２２、情報端末１３１が、管理サーバ１１０の管理情報格納部１１２、台割情報格納部１１３、組版データ格納部１１４、入力データ格納部１１５にアクセスすることに応じて課金する。なお、課金部２２０１による課金方法としては以下に示すように、種々の方法が挙げられる。
・管理サーバ１１０の管理情報格納部１１２、台割情報格納部１１３、組版データ格納部１１４、入力データ格納部１１５へのアクセス数に応じて課金する方法。
・管理サーバ１１０の管理情報格納部１１２、台割情報格納部１１３、組版データ格納部１１４、入力データ格納部１１５の利用時間に応じて課金する方法。
・管理サーバ１１０の管理情報格納部１１２、台割情報格納部１１３、組版データ格納部１１４、入力データ格納部１１５に格納されている情報のアップロード回数またはダウンロード回数に応じて課金する方法。
・管理サーバ１１０の管理情報格納部１１２、台割情報格納部１１３、組版データ格納部１１４、入力データ格納部１１５に格納されている情報をアップロードまたはダウンロードした際のデータ量に応じて課金する方法。
【０２４１】
図２３は、課金処理の概要を説明するための図である。なお、図２３は、出版業務管理システム１００を用いた出版業務のうち、原稿作成工程の流れを示すシーケンスにおいて、上記課金方法を適用して課金した場合の課金機会を示した図である。図２３において、点線２３０１及び点線２３０２が課金機会を示している。
【０２４２】
このうち、丸印は、管理サーバ１１０に格納されている情報のダウンロード回数またはデータ量に応じて課金する場合の課金機会を示している。また、三角印は、それ以外の課金機会を示している。即ち、管理サーバ１１０に格納されているデータのダウンロード回数またはデータ量に応じて課金する方法の場合、丸印で示したタイミングで課金が行われる。また、管理サーバ１１０へのアクセス数または利用時間に応じて課金する方法の場合、丸印及び三角印で示したタイミングで課金が行われることになる。
【０２４３】
なお、図２３では、原稿作成工程の流れを示すシーケンスにおいて、上記課金方法を適用して課金した場合の課金機会を示したが、校正工程及び承認工程についても同様である。
【０２４４】
このように、本実施形態によれば、管理サーバ１１０の利用に対して課金することが可能となる。
【０２４５】
［第３の実施形態］
上記第１の実施形態において、組版データは、各ページのブロックに、コンテンツが挿入された状態で、組版データ格納部１１４に格納されているものとして説明した。このため、印刷制御部１１０３は、校正用原稿または承認用原稿を印刷するにあたり、配布先のサプライヤにより提供されたコンテンツ以外のコンテンツを削除して組版データを生成した。
【０２４６】
しかしながら、組版データは、各ページのブロックに、コンテンツが挿入されていない状態で、組版データ格納部１１４に格納しておき、印刷時に、ブロックにコンテンツを挿入するように構成してもよい。この場合、印刷制御部１１０３は、校正用原稿または承認用原稿を印刷するにあたり、配布先のサプライヤにより提供されたコンテンツを、対応するブロックに挿入して組版データを生成する。
【０２４７】
いずれにしても、印刷制御部１１０３は、配布先のサプライヤにより提供されたコンテンツが挿入された状態のページを生成して印刷を行う。
【０２４８】
上記第１及び第２の実施形態では、出版物の詳細について特に言及しなかったが、複数のサプライヤにより提供されるコンテンツを挿入する出版物には、例えば、カタログ、パンフレット、雑誌等が含まれる。
【０２４９】
また、上記第１及び第２の実施形態では、図１２及び図１３を用いて校正用原稿について説明したが、承認用原稿についても同様である。
【０２５０】
また、上記第１及び第２の実施形態では、校正工程が１回の場合について説明したが、校正工程が２回以上の場合も同様である。
【０２５１】
また、上記第１及び第２の実施形態では、第１のサプライヤ１４０〜第３のサプライヤ１６０によりコンテンツが提供されるものとして説明したが、コンテンツを提供するサプライヤの数は、これに限定されないことは言うまでもない。
【０２５２】
また、上記第１及び第２の実施形態では、印刷要求画面５３０において、ページ範囲を指定する構成としたが、ページ範囲以外を指定してもよい。台割情報８００に登録された情報であれば、任意の情報を指定して印刷要求を行うことが可能である。例えば、特定のカテゴリを指定して印刷要求を行うようにしてもよい。特定のカテゴリが掲載されたページのみを校正したい場合があるからである。あるいは、特定のテンプレートを指定して印刷要求を行うようにしてもよい。特定のブロック数のページのみを校正したい場合があるからである。なお、図８に示した台割情報８００は一例であり、図８に示す情報以外の情報（例えば、日付、校正者等）を台割情報８００に登録してもよいことはいうまでもない。
【０２５３】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０２５４】
１００                        ：出版業務管理システム
１１０                        ：管理サーバ
１１１                        ：出版業務管理部
１１２                        ：管理情報格納部
１１３                        ：台割情報格納部
１１４                        ：組版データ格納部
１１５                        ：入力データ格納部
１２１                        ：情報端末
１２２                        ：画像処理装置
１３１                        ：情報端末
８００                        ：台割情報
９１０〜９３０                ：ページデータ
７００                        ：管理情報
１０００                      ：属性情報
１１０１                      ：管理情報登録部
１１０２                      ：台割情報管理部
１１０３                      ：印刷制御部
１１０４                      ：入力データ処理部
１１０５                      ：組版データ登録部
１２１０、１２２０            ：シート
１２１５                      ：二次元コード表示領域
１３１０、１３２０、１３３０  ：シート
１５０１〜１５０３            ：ファイル名
２２００                      ：管理サーバ
２２０１                      ：課金部
【先行技術文献】
【特許文献】
【０２５５】
【特許文献１】特開２００６−９２１００号公報
【図１】
2017167825.tif 000003
【図２】
2017167825.tif 000004
【図３】
2017167825.tif 000005
【図４】
2017167825.tif 000006
【図５】
2017167825.tif 000007
【図６】
2017167825.tif 000008
【図７】
2017167825.tif 000009
【図８】
2017167825.tif 000010
【図９】
2017167825.tif 000011
【図１０】
2017167825.tif 000012
【図１１】
2017167825.tif 000013
【図１２】
2017167825.tif 000014
【図１３】
2017167825.tif 000015
【図１４】
2017167825.tif 000016
【図１５】
2017167825.tif 000017
【図１６】
2017167825.tif 000018
【図１７】
2017167825.tif 000019
【図１８】
2017167825.tif 000020
【図１９】
2017167825.tif 000021
【図２０】
2017167825.tif 000022
【図２１】
2017167825.tif 000023
【図２２】
2017167825.tif 000024
【図２３】
2017167825.tif 000025